(57)【要約】【課題】この発明は、紙葉類の処理効率を高めることができる紙葉類処理装置を提供することを課題とする。【解決手段】紙葉類処理装置１は、紙葉類を搬送路３上に１枚ずつ取り出す取出部４、取り出された紙葉類の種類を判別する検査部６、および紙葉類を種類毎に集積する複数の一時集積部１５を有する。装置１の制御部は、紙葉類を搬送路３上に取り出す度に、全ての紙葉類の搬送情報を取得し、既に搬送路３上に取り出されている全ての紙葉類を所定の一時集積部へ集積した場合、その集積枚数が少なくとも１つの一時集積部において一定枚数に達するか否かを判断する。そして、制御部は、一定枚数に達することを判断すると、紙葉類の取り出しを中止する。【選択図】      図１
2005084920.tif 000002
【特許請求の範囲】
【請求項１】
処理対象となる複数枚の紙葉類を搬送路上に１枚ずつ取り出す取出部と、
この取出部にて紙葉類が搬送路上に取り出されたことを検知する検知部と、
上記取出部にて搬送路上に取り出された紙葉類を該搬送路を介して搬送する搬送部と、
この搬送部にて搬送路を介して搬送される紙葉類の種類を判別する判別部と、
この判別部における判別結果に基づいて搬送路を介して搬送される紙葉類をその種類毎に一時的に集積する複数の一時集積部と、
これら複数の一時集積部それぞれに集積されている集積済紙葉類の枚数、搬送路上に取り出されている紙葉類のうち集積先が確定していない未確定紙葉類の枚数、および搬送路上に取り出されている紙葉類のうち集積先が確定している確定紙葉類の種類毎の枚数を記憶する記憶部と、
上記検知部で搬送路上に紙葉類が取り出されたことを検知したのに基づき、上記記憶部に記憶されている各一時集積部の集積済紙葉類の枚数、未確定紙葉類の枚数、および確定紙葉類の種類毎の枚数を読み出して、各一時集積部に関して、集積済紙葉類の枚数に集積予定の確定紙葉類の枚数を加算し、さらに未確定紙葉類の枚数をそれぞれ加算し、少なくともいずれか１つの一時集積部において加算した枚数が一定枚数に達したという結果が得られた場合、上記取出部による紙葉類の取り出しを中止する制御部と、
を備えていることを特徴とする紙葉類処理装置。
【請求項２】
上記複数の一時集積部にそれぞれ対応して設けられ、一時集積部に集積した紙葉類を収納する複数の収納部をさらに備えていることを特徴とする請求項１に記載の紙葉類処理装置。
【請求項３】
上記制御部は、少なくとも１つの一時集積部において加算した枚数が一定枚数に達したのに基づいて上記取出部による紙葉類の取り出しを中止し、未確定紙葉類を上記判別部で判別した結果、該未確定紙葉類が他の集積部へ集積される紙葉類であることが判明したのに基づき、上記取出部を制御してさらに１枚の紙葉類を搬送路上に取り出すことを特徴とする請求項１または２に記載の紙葉類処理装置。
【請求項４】
上記一時集積部へ集積した一定枚数の紙葉類を退避させる退避部をさらに備えていることを特徴とする請求項１乃至３のいずれかに記載の紙葉類処理装置。
【請求項５】
上記退避部は、上記取出部と判別部の間の搬送路から分岐した位置に設けられていることを特徴とする請求項４に記載の紙葉類処理装置。
【請求項６】
上記複数の一時集積部は、上記退避部へ退避させる一定枚数の紙葉類を束にして搬送路上に送り出すことを特徴とする請求項４または５に記載の紙葉類処理装置。
【請求項７】
上記制御部は、上記一時集積部に集積した一定枚数の紙葉類を上記退避部へ退避させた後、少なくとも１つの一時集積部において集積済紙葉類の枚数と確定紙葉類の枚数と未確定紙葉類の枚数を加算した枚数が一定枚数に達するまで、上記取出部による紙葉類の取り出しを再開することを特徴とする請求項４に記載の紙葉類処理装置。
【発明の詳細な説明】
【技術分野】
【０００１】
この発明は、一括投入された複数枚の紙葉類を１枚ずつ取り出してその種類を判別し、この判別結果に基づいて所定の集積部へ集積する紙葉類処理装置に関する。
【背景技術】
【０００２】
従来、紙葉類処理装置として、鉄道の駅に設置された券売機に組み込まれた紙幣処理装置が知られている（例えば、特許文献１参照。）。この紙幣処理装置は、一括投入された複数枚の紙幣を分離して１枚ずつ搬送路上に取り出して真偽や金種を鑑別する。そして、金種毎に用意された一時保留部に、投入された全ての紙幣を金種別に一時的に集積し、取引が確定した時点で一時保留した紙幣をそれぞれ対応する金庫部へ収納する。取引が中止された場合には、一時保留した全ての紙幣が返却される。尚、金種毎に用意された一時保留部は、集積可能な許容枚数が決められている。
【０００３】
この紙幣処理装置を動作して投入された複数枚の紙幣を処理する場合、まず、１枚目の紙幣を分離して搬送路上に取り出し、真偽や金種を鑑別し、金種に応じた一時保留部へ一時的に集積する。１枚目の紙幣を集積した後、次に取り出す紙幣の有無が確認され、各一時保留部に集積した紙幣が集積可能な許容枚数に達したか否かが判断され、全ての一時集積部が許容枚数に達していない場合、次の紙幣が分離されて搬送路上に取り出される。
【０００４】
しかし、上述した従来の紙幣処理装置では、分離して取り出した１枚目の紙幣が、その金種に応じて用意された一時保留部に集積された後、許容枚数に達していないことを条件として、次の紙幣の取り出しが許可されるため、投入された複数枚の紙幣を連続して取り出して処理することができなかった。このため、従来の装置では、紙幣の処理に多くの時間を要し、利用者にとって利便性が悪かった。
【特許文献１】特開平１０−１２５１号公報（段落［００２４］、図６）
【発明の開示】
【発明が解決しようとする課題】
【０００５】
この発明の目的は、紙葉類の処理効率を高めることができる紙葉類処理装置を提供することにある。
【課題を解決するための手段】
【０００６】
上記目的を達成するため、本発明の紙葉類処理装置は、処理対象となる複数枚の紙葉類を搬送路上に１枚ずつ取り出す取出部と、この取出部にて紙葉類が搬送路上に取り出されたことを検知する検知部と、上記取出部にて搬送路上に取り出された紙葉類を該搬送路を介して搬送する搬送部と、この搬送部にて搬送路を介して搬送される紙葉類の種類を判別する判別部と、この判別部における判別結果に基づいて搬送路を介して搬送される紙葉類をその種類毎に一時的に集積する複数の一時集積部と、これら複数の一時集積部それぞれに集積されている集積済紙葉類の枚数、搬送路上に取り出されている紙葉類のうち集積先が確定していない未確定紙葉類の枚数、および搬送路上に取り出されている紙葉類のうち集積先が確定している確定紙葉類の種類毎の枚数を記憶する記憶部と、上記検知部で搬送路上に紙葉類が取り出されたことを検知したのに基づき、上記記憶部に記憶されている各一時集積部の集積済紙葉類の枚数、未確定紙葉類の枚数、および確定紙葉類の種類毎の枚数を読み出して、各一時集積部に関して、集積済紙葉類の枚数に集積予定の確定紙葉類の枚数を加算し、さらに未確定紙葉類の枚数をそれぞれ加算し、少なくともいずれか１つの一時集積部において加算した枚数が一定枚数に達したという結果が得られた場合、上記取出部による紙葉類の取り出しを中止する制御部と、備えている。
【０００７】
上記発明によると、紙葉類を搬送路上に取り出す度に、全ての一時集積部に集積されている集積済紙葉類の枚数に、集積先が当該一時集積部に確定した確定紙葉類の枚数を加算し、さらに集積先が確定していない未確定紙葉類の枚数を全ての一時集積部に対して加算し、少なくとも１つの一時集積部において加算した枚数が一定枚数に達したことが判断された場合、紙葉類の取り出しを中止するようにした。これにより、搬送路上に取り出した全ての未確定紙葉類が１つの一時集積部へ集積された場合であっても、当該一時集積部に対する集積枚数が一定枚数を超えることが無い。言い換えると、本発明の制御を採用すると、取出部を介して搬送路上に紙葉類を連続して取り出すことが可能となり、装置の処理効率を向上させてスループットを高めることができる。
【発明の効果】
【０００８】
以上説明したように、この発明の紙葉類処理装置は、上記のような構成および作用を有しているので、処理対象となる複数枚の紙葉類を連続して取り出して処理することができ、装置の処理効率を高めることができる。
【発明を実施するための最良の形態】
【０００９】
以下、図面を参照しながらこの発明の実施の形態について詳細に説明する。  
図１には、この発明の実施の形態に係る紙葉類処理装置１（以下、単に、処理装置１と称する）の概略構造を示してある。ここでは、この処理装置１は、４種類の紙葉類Ｐ1、Ｐ2、Ｐ3、Ｐ4（以下、総称して紙葉類Ｐとする場合もある）を混在させた状態で受け入れて処理するものとする。
【００１０】
処理装置１は、複数枚の紙葉類Ｐを集積した状態で一括投入できる投入口２、投入された紙葉類Ｐを１枚ずつに分離して搬送路３上に取り出す取出部４、搬送路３上に取り出された紙葉類Ｐを搬送する搬送部５（図３）、搬送された紙葉類Ｐを検査してその種類を判別する検査部６（判別部）、検査部６における検査結果に基づいて紙葉類Ｐをその種類毎に集積する４つの集積部１１、１２、１３、１４、検査部６における検査の結果排除すべき紙葉類Ｐであることが判断された紙葉類Ｐをリジェクトするリジェクト部７、退避部８、およびこれら機構部の動作を制御する制御部１０（図３）を有する。
【００１１】
取出部４は、投入口２を介して一括投入された複数枚の紙葉類Ｐのうち集積方向一端にある紙葉類Ｐに転接して回転することにより当該紙葉類Ｐを搬送路３上に取り出す取出ローラ４ａを有する。紙葉類Ｐの取り出し方向に沿って取出ローラ４ａより下流側の搬送路３上には、取り出された紙葉類Ｐの搬送方向後端通過を検知するためのセンサ２１（検知部）が設けられている。
【００１２】
センサ２１は、搬送路３を挟む位置関係で発光部と受光部を有し、発光部から受光部に向かう光線が搬送路３を所定位置で横切る位置に設けられている。そして、搬送路３を介して搬送される紙葉類Ｐが光線を遮断したときセンサ出力が明から暗になったのに基づいて紙葉類Ｐの搬送方向先端到達を検知し、センサ出力が暗から明に変化したのに基づいて紙葉類Ｐの搬送方向後端通過を検知する。
【００１３】
４つの集積部１１、１２、１３、１４は、紙葉類Ｐの搬送方向に沿って検査部６より下流側の搬送路３からそれぞれ分岐された位置に設けられている。本実施の形態では、集積部１１は紙葉類Ｐ1を集積するようにアサインされ、集積部１２は紙葉類Ｐ2を集積するようにアサインされ、集積部１３は紙葉類Ｐ3を集積するようにアサインされ、集積部１４は紙葉類Ｐ4を集積するようにアサインされている。尚、各集積部１１、１２、１３、１４は、同じ構造を有するため、ここでは集積部１１について代表して説明し、他の集積部１２、１３、１４の同様に機能する構成要素には同一符号を付してその詳細な説明を省略する。
【００１４】
集積部１１は、搬送路３を介して送り込まれた紙葉類Ｐを一時的に集積する一時集積部１５、および一時集積部１５に集積した紙葉類Ｐを取引が確定した後収納する収納部１６を有する。収納部１６は、一時集積部１５の上部に隣接して設けられている。一時集積部１５は、搬送路３を介して送り込まれた紙葉類Ｐをニップで挟持拘束して回転することにより取り込むとともに、一時的に集積した紙葉類Ｐを搬送路３上に送り出すローラ対１５ａを有する。また、収納部１６は、集積した紙葉類Ｐのうち集積方向上端にある紙葉類Ｐに転接して回転することにより当該紙葉類Ｐを搬送路３上に送り出すためのローラ対１６ａを有する。尚、一時集積部１５のローラ対１５ａは、一時的に集積した複数枚の紙葉類を１枚ずつ送り出すのではなく束で送り出す。また、一時集積部１５の直前には、搬送路３を介して送り込まれる紙葉類Ｐの搬送方向後端通過を検知するセンサ２２が設けられている。
【００１５】
リジェクト部７は、搬送路３を介して送り込まれた紙葉類Ｐをニップで挟持拘束して回転することにより取り込むとともに、一時的に集積した紙葉類Ｐを搬送路３上に送り出すローラ対７ａを有する。また、退避部８は、搬送路３を介して送り込まれた紙葉類Ｐをニップで挟持拘束して回転することにより取り込むとともに、取り込んだ紙葉類Ｐを搬送路３上に送り出すローラ対８ａを有する。
【００１６】
さらに、リジェクト部７の直前の搬送路３上には、リジェクト部７に送り込まれる紙葉類Ｐの搬送方向後端通過を検知するためのセンサ２３が設けられ、退避部８の直前の搬送路３上には、退避部８に送り込まれる紙葉類Ｐの搬送方向後端通過を検知するためのセンサ２４が設けられている。尚、センサ２２、２３、２４は、上述したセンサ２１と同じ構造および機能を有する。
【００１７】
図２には、上述した集積部１１（代表して説明する）の内部構造を紙葉類Ｐ1の取込方向から見た概略図を示してある。  
一時集積部１５の下端には、一時集積部１５に送り込まれた紙葉類Ｐ1を集積して載置するとともに上方に押し上げて収納部１６へ収納するバックアッププレート１７が設けられている。バックアッププレート１７は、後述する駆動機構によって図中矢印方向に動作する。また、一時集積部１５と収納部１６を区画する位置には、一対の支持部材１８ａ、１８ｂが回動可能に設けられている。一対の支持部材１８ａ、１８ｂは、集積部１１の筐体１１ａの側壁に対して回動可能に取り付けられており、図示しないばね等により図示の位置に付勢されている。
【００１８】
しかして、一時集積部１５のバックアッププレート１７上に集積された複数枚の紙葉類Ｐ1を収納部１６へ収納する場合、バックアッププレート１７を上昇させて収納部１６内に進入させ、その後、バックアッププレート１７を元の位置まで下降させる。このとき、バックアッププレート１７は、移動の途中で支持部材１８ａ、１８ｂに干渉することはない。一方、バックアッププレート１７上に集積された複数枚の紙葉類Ｐ1は、バックアッププレート１７を上昇させる際、支持部材１８ａを上方に押し上げてばねの付勢力に抗して回動させ、バックアッププレート１７を下降させる際、ばねにより元の位置に復帰した支持部材１８ａ、１８ｂ上に載置される。
【００１９】
図３には、上記構造の処理装置１の動作を制御する制御系のブロック図を示してある。  
処理装置１の制御部１０には、処理装置１の制御プログラム等を格納しているとともに各種制御データを記憶するためのメモリ２０（記憶部）、および上述した７つのセンサ２１〜２４が接続されている。
【００２０】
また、制御部１０には、取出ローラ４ａ、搬送部５、検査部６、各集積部１１、１２、１３、１４のローラ対１５ａ、１６ａ、バックアッププレート１７の駆動機構１９、リジェクト部７のローラ対７ａ、および退避部８のローラ対８ａが接続されている。
【００２１】
ここで、図４乃至図７を参照して、上記構造の処理装置１によって紙葉類Ｐを取り出してその種類に応じた一時集積部に集積するまでの動作について説明する。尚、ここでは、取り出した紙葉類が集積部１３に集積をアサインされている紙葉類Ｐ3であり、この紙葉類Ｐ3を集積部１３に集積する場合について説明する。
【００２２】
まず、投入口２を介して処理対象となる複数枚の紙葉類Ｐが処理装置１に投入され、取出ローラ４ａが回転されて紙葉類Ｐ3が搬送路３上に取り出される。
【００２３】
このとき、図４に示すように、当該紙葉類Ｐ3がセンサ２１によって検知され、当該紙葉類Ｐ3が搬送路３上に取り出された紙葉類として制御部１０によって認知され、当該紙葉類Ｐ3の搬送情報がメモリ２０に記憶される。この時点で、当該紙葉類Ｐ3は、検査部６を通過していないため、集積先が確定していない未確定紙葉類としてメモリ２０に記憶される。
【００２４】
次に、図５に示すように、センサ２１を介して当該紙葉類Ｐ3の搬送方向後端通過を検知すると、制御部１０が当該紙葉類Ｐ3の取り出し完了を判断し、当該紙葉類Ｐ3が検査部６へ送り込まれる。この時点でも、当該紙葉類Ｐ3は、未確定紙葉類として取り扱われる。
【００２５】
そして、図６に示すように、当該紙葉類Ｐ3が検査部６を通過されて当該紙葉類の種類、すなわち紙葉類Ｐ3であることが判断されると、当該紙葉類Ｐ3の搬送情報が書き替えられてメモリ２０に記憶される。つまり、この時点で、当該紙葉類Ｐ3は、集積先が確定した確定紙葉類となるため、確定紙葉類の枚数が加算されてメモリ２０に記憶される。
【００２６】
そして、当該紙葉類Ｐ3は、図７に示すように、集積がアサインされている集積部１３の一時集積部１５へ集積される。このとき、当該紙葉類Ｐ3の搬送方向後端が一時集積部１５のセンサ２２によって検知されると、当該紙葉類Ｐ3が所定の一時集積部１５へ集積されたことが確定し、メモリ２０に記憶されている当該紙葉類Ｐ3の搬送情報が消去される。
【００２７】
そして、その代りに、当該紙葉類Ｐ3が対応する集積部１３の一時集積部１５に集積された集積済紙葉類として加算され、メモリ２０に記憶される。
【００２８】
つまり、複数枚の紙葉類Ｐを搬送路３上に取り出した状態では、上述した未確定紙葉類、確定紙葉類、および集積済紙葉類が処理装置１内に混在した状態となっており、全ての時点においてメモリ２０にある搬送情報に全ての紙葉類Ｐの状態が記憶されていることになる。言い換えると、制御部１０は、この搬送情報をメモリ２０から読み出すことにより、全ての瞬間における処理装置１内の全ての紙葉類Ｐの状態を把握できることになる。
【００２９】
このため、本実施の形態では、紙葉類Ｐが搬送路３上に取り出された図５に示す状態のとき、メモリ２０に記憶されている全ての紙葉類Ｐの搬送情報を読み出して、各一時集積部１５に関して、集積済紙葉類の枚数に確定紙葉類の枚数を加算してさらに未確定紙葉類の枚数をそれぞれ加算し、加算した枚数が対応する一時集積部１５に集積する最大枚数（一定枚数）に達した場合、紙葉類Ｐの取り出しを中止するようにした。これにより、搬送路３上に取り出されている全ての未確定紙葉類が１つの一時集積部１５に集中して集積されても最大枚数を超えることはない。
【００３０】
以下、図８乃至図１３を参照して、紙葉類Ｐの搬送状態に応じた種々の動作例について説明する。尚、ここでは、各集積部１１、１２、１３、１４の一時集積部１５に集積する紙葉類Ｐの最大枚数を２０枚として説明するが、一時集積部１５に集積可能な枚数は２０枚とは限らない。
【００３１】
図８には、第１の動作例を説明するための図を示してある。図示の状態では、集積済紙葉類として、集積部１１の一時集積部１５に５枚の紙葉類Ｐ1が集積され、集積部１２の一時集積部１５に１０枚の紙葉類Ｐ2が集積され、集積部１３の一時集積部１５に１２枚の紙葉類Ｐ3が集積され、集積部１４の一時集積部１５に１４枚の紙葉類Ｐ4が集積されており、確定紙葉類として、集積先が集積部１１に確定している１枚の紙葉類Ｐ1、集積先が集積部１２に確定している１枚の紙葉類Ｐ2、集積先が集積部１３に確定している１枚の紙葉類Ｐ3、および集積先が集積部１４に確定している１枚の紙葉類Ｐ4が搬送路３上に取り出されており、且つ２枚の未確定紙葉類Ｐが搬送路３上に取り出されている。
【００３２】
この状態で、制御部１０は、最後に取り出された紙葉類Ｐの搬送方向後端通過がセンサ２１によって検知された時点で、メモリ２０に記憶されている全ての紙葉類Ｐの搬送情報を読み出して、全ての一時集積部１５に関して上述したように集積される可能性のある枚数の最大値を計算する。本動作例における計算結果を図９に示してある。
【００３３】
この時点で、集積部１１の一時集積部１５に集積されている集積済紙葉類の枚数が５枚で、集積部１１にアサインされている確定紙葉類の枚数が１枚で、集積先が確定していない未確定紙葉類が２枚であるため、未確定紙葉類が２枚とも紙葉類Ｐ1であり集積部１１にアサインされたとしても、集積部１１の一時集積部１５に集積される紙葉類Ｐの枚数は、最大で、５＋１＋２＝８枚であり、最大枚数の２０枚を超えることはない。
【００３４】
同様に、集積部１２に関して計算した場合、一時集積部１５に集積される可能性のある紙葉類Ｐの枚数は、最大で、１０＋１＋２＝１３枚となり、最大枚数の２０枚を超えることはない。また、集積部１３に関しても、集積される可能性のある紙葉類Ｐの枚数は、最大で、１２＋１＋２＝１５枚となり、２０枚を超えることはない。さらに、集積部１４に関しても、集積される可能性のある紙葉類Ｐの枚数は、最大で、１４＋１＋２＝１７枚となり、２０枚を超えることはない。
【００３５】
つまり、図８に図示した状態では、既に搬送路３上に取り出されている全ての紙葉類Ｐをそれぞれ所定の一時集積部１５に集積したとしても、一時集積部１５が最大枚数に達することがない。言い換えると、図８に示す状態のときには、制御部１０は、取出部４における紙葉類Ｐの取り出し動作を続行することになる。
【００３６】
また、図１０および図１１に示した第２の動作例では、集積部１１の一時集積部１５に集積されている集積済紙葉類の枚数が６枚で、集積部１１にアサインされている確定紙葉類の枚数が０枚で、集積先が確定していない未確定紙葉類が２枚であるため、未確定紙葉類が２枚とも紙葉類Ｐ1であり集積部１１にアサインされたとしても、集積部１１の一時集積部１５に集積される紙葉類Ｐの枚数は、最大で、６＋０＋２＝８枚であり、最大枚数の２０枚を超えることはない。
【００３７】
同様に、集積部１２に関して計算した場合、一時集積部１５に集積される可能性のある紙葉類Ｐの枚数は、最大で、１１＋０＋２＝１３枚となり、最大枚数の２０枚を超えることはない。また、集積部１３に関しても、集積される可能性のある紙葉類Ｐの枚数は、最大で、１３＋１＋２＝１６枚となり、２０枚を超えることはない。
【００３８】
しかし、集積部１４に関しては、集積される可能性のある紙葉類Ｐの枚数は、最大で、１５＋３＋２＝２０枚となり、最大枚数の２０枚に達する。つまり、図１０に図示した状態では、既に搬送路３上に取り出されている全ての紙葉類Ｐをそれぞれ所定の一時集積部１５に集積すると、集積部１４の一時集積部１５の集積枚数が最大枚数に達するため、制御部１０は、この時点で、取出ローラ４ａの回転を停止して、取出部４における紙葉類Ｐの取り出し動作を中止する。
【００３９】
そして、この後、図１２に示すように、未確定紙葉類のうちの１枚が検査部６を通過して、その紙葉類Ｐの集積先が確定した時点で、制御部１０は、再び、全ての一時集積部１５に関して、集積される可能性のある枚数を再計算する。この計算結果を図１３に示してある。尚、このとき、集積先が確定した紙葉類は紙葉類Ｐ1であったものとする。
【００４０】
これによると、前回の計算時には、集積部１４に集積される可能性のある紙葉類Ｐ4の枚数が２０に達していたが、再計算の結果、集積部１４に集積される可能性のある枚数の最大値が１９枚となった。従って、制御部１０は、この時点で、紙葉類Ｐの取り出し動作を再開し、１枚の紙葉類Ｐを搬送路３上に取り出す。
【００４１】
そして、搬送路３上に取り出した未確定紙葉類が無くなり、且ついずれか１つの一時集積部１５において、紙葉類Ｐの集積枚数が最大枚数に達したことを制御部１０が判断すると、取出部４における紙葉類Ｐの取り出し動作が停止される。
【００４２】
さらに、搬送路３上に取り出された全ての紙葉類Ｐが一時集積部１５に集積された後、一時集積部１５における紙葉類Ｐの集積枚数が最大枚数に達した集積部（本動作例では、集積部１４であるものとする）から２０枚の紙葉類Ｐ4が束で搬送路３上に送り出され、搬送路３を介して退避部８へ搬送される。これにより、最大枚数に達した一時集積部１５への紙葉類Ｐ4のさらなる集積が可能となる。
【００４３】
以上のように、本実施の形態によると、取出部４にて紙葉類Ｐを搬送路３上に取り出す度に、先に取り出し済の全ての紙葉類Ｐの搬送情報を取得し、全ての一時集積部１５に関して、集積される可能性のある枚数を計算するようにした。このため、次の紙葉類Ｐを搬送路３上に取り出す前に、各一時集積部１５の集積枚数が最大枚数に達するか否かを判断できるようになった。
【００４４】
つまり、本実施の形態の紙葉類処理装置では、従来の装置のように、先に搬送路３上に取り出した紙葉類Ｐの集積が終了するまで次の紙葉類Ｐの取り出しを待機する必要がなく、複数枚の紙葉類Ｐを搬送路３上に連続して取り出すことができ、紙葉類Ｐの処理効率を高めることができる。
【００４５】
また、本実施の形態によると、１つの一時集積部１５において集積枚数が最大枚数に達した場合であっても、搬送路３上に取り出されている未確定紙葉類の集積先が当該一時集積部ではないことが判明した時点で、１枚の紙葉類Ｐを搬送路３上に取り出すようにしたため、さらに処理効率を高めることができる。
【００４６】
また、本実施の形態によると、１つの一時集積部１５が最大枚数に達した後、当該一時集積部１５から集積済紙葉類を取り出して退避部８に退避させるようにしたため、この後、さらに１つの一時集積部１５が最大枚数に達するまで、装置１を停止することなく紙葉類Ｐの処理を続行することができ、さらに処理効率を高めることができる。また、この場合、最大枚数の２倍の同じ種類の紙葉類Ｐを同時に処理できるため、最大で４０枚の同じ種類の紙葉類Ｐを混在させた紙葉類を一括投入した場合にも対応できる。
【００４７】
さらに、本実施の形態では、退避部８を利用して、各集積部１１、１２、１３、１４に紙葉類Ｐ1、Ｐ2、Ｐ3、Ｐ4を所望する枚数だけ補充することもできる。この場合、退避部８を処理装置１に対して着脱自在とし、補充する紙葉類Ｐを種類を混在させた状態で退避部８へ投入し、ローラ対８ａにより紙葉類Ｐを搬送路３上に取り出す。そして、搬送路３上に取り出した紙葉類Ｐを検査部６で検査して、種類毎に集積する。
【００４８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４９】
【図１】この発明の実施の形態に係る紙葉類処理装置を示す概略図。
【図２】図１の処理装置に組み込まれた集積部の構造を説明するための概略図。
【図３】図１の処理装置の動作を制御する制御系を示すブロック図。
【図４】図１の処理装置で紙葉類を取り出してから集積するまでの動作を説明するための図。
【図５】図１の処理装置で紙葉類を取り出してから集積するまでの動作を説明するための図。
【図６】図１の処理装置で紙葉類を取り出してから集積するまでの動作を説明するための図。
【図７】図１の処理装置で紙葉類を取り出してから集積するまでの動作を説明するための図。
【図８】図１の処理装置による第１の動作例を説明するための図。
【図９】図８の状態における紙葉類の搬送情報を集計した結果を示す表。
【図１０】図１の処理装置による第２の動作例を説明するための図。
【図１１】図１０の状態における紙葉類の搬送情報を集計した結果を示す表。
【図１２】図１０の状態の後、１枚の未確定紙葉類を検査した状態を示す図。
【図１３】図１２の状態における紙葉類の搬送情報を集計した結果を示す図。
【符号の説明】
【００５０】
１…紙葉類処理装置、２…投入口、３…搬送路、４…取出部、５…搬送部、６…検査部、７…リジェクト部、８…退避部、１０…制御部、１１、１２、１３、１４…集積部、１５…一時集積部、１６…収納部、１７…バックアッププレート、１８ａ、１８ｂ…支持部材、１９…駆動機構、２０…メモリ、２１、２２、２３、２４…センサ、Ｐ…紙葉類。
【図１】
2005084920.tif 000003
【図２】
2005084920.tif 000004
【図３】
2005084920.tif 000005
【図４】
2005084920.tif 000006
【図５】
2005084920.tif 000007
【図６】
2005084920.tif 000008
【図７】
2005084920.tif 000009
【図８】
2005084920.tif 000010
【図９】
2005084920.tif 000011
【図１０】
2005084920.tif 000012
【図１１】
2005084920.tif 000013
【図１２】
2005084920.tif 000014
【図１３】
2005084920.tif 000015